(57)【特許請求の範囲】
【請求項１】
外形が多角形状をなし中央にボルトを挿通する挿通孔を有したナット基台と、ナット基台の外形に対応するとともに挿通孔に連通しながら、前記ボルトに若干の遊びを持たせて同ボルトが嵌め込まれる連通孔を有した底面部と底面部から多角形状の外形に対応して立設した壁部と壁部から挿通孔の中心に向けて延設するバネ部とを有してなり、このバネ部の端面がボルトのネジの溝に嵌まり得る形状に形成された鎖錠バネと、を具備し、さらに、前記ナット基台は、挿通孔を底部に有する中空状の有底箱体にて構成するとともに、前記ナット基台の挿通孔及び鎖錠バネの連通孔を回転することなしにボルトが挿通可能なものとなしてこの挿通孔と連通孔とを鎖錠バネの内部中空スペース分の間隔をあけて配設し、同鎖錠バネのバネ部をボルトの雄ネジに係合し移動することでナット基台に当たるようこのナット基台の外側に近接配置したことを特徴とする速結ナット。
【請求項２】
外形が多角形状をなし中央にボルトを挿通する挿通孔を有したナット基台と、ナット基台の外形に対応するとともに挿通孔に連通しながら、前記ボルトに若干の遊びを持たせて同ボルトが嵌め込まれる連通孔を有した底面部と底面部から多角形状の外形に対応して立設した壁部と壁部から挿通孔の中心に向けて延設するバネ部とを有してなり、このバネ部の端面がボルトのネジの溝に嵌まり得る形状に形成された鎖錠バネと、を具備し、さらに、前記ナット基台は、外周に複数の係合爪を設けて、鎖錠バネと結合するとともに、前記ナット基台の挿通孔及び鎖錠バネの連通孔を回転することなしにボルトが挿通可能なものとなしてこの挿通孔と連通孔とを鎖錠バネの内部中空スペース分の間隔をあけて配設し、同鎖錠バネのバネ部をボルトの雄ネジに係合し移動することでナット基台に当たるようこのナット基台の外側に近接配置したことを特徴とする速結ナット。
【請求項３】
前記鎖錠バネを、多層構造に形成してなることを特徴とする請求項１または請求項２記載の速結ナット。
【発明の詳細な説明】
【０００１】
【産業上の利用分野】
本発明は、簡単にボルトに締結できる速結ナットに関する。
【０００２】
【従来の技術】
従来のナットは、公知のように内周面にボルトに係合する雌ネジを切ったものがある。このナットはボルトに挿入して締結位置まで回して締めつけるため、施工時において手間がかかっていた。
【０００３】
そこで、簡単にボルトに締結できる速結ナットとして、特公平４−２４１７７や実開平５−５０１３４のものが開示されている。特公平４−２４１７７の速結ナットは、図９に示すように、ナット本体３１内にその軸方向に対してテーパ孔３２を形成し、該テーパ孔３２内に、内周面に雌ネジを設けたナットセグメント３３を周方向に分割して設け、軸方向に摺動自在とするとともに、常時スプリング３４によりテーパ孔３２の小径側に付勢している。さらに、ナット本体３１には、テーパ孔３２の中心部を軸方向に相対移動する筒体３５と、ナット本体３１の外面を軸方向に摺動する操作環３６とを一体化してなる操作部材３７を設け、筒体３５には、これをテーパ孔３２の大径側へ相対的に移動させることにより、ナットセグメント３３をテーパ孔３２の大径側へ押動させる係合部３８を形成している。
【０００４】
また、実開平５−５０１３４の速結ナットは、図１０に示すように、内周面の一体縁に内鍔部４１を設けてこの内鍔部４１で囲まれる内部をボルトの挿入口４２とした略筒状の本体４３と、基端部４４が前記本体の内周面に固定され、先端部４５が前記ボルトの雄ネジに係合するように位置し、且つ先端部近傍が前記内鍔部４１に近接した板バネ４６を備えたものである。
【０００５】
【発明が解決しようとする課題】
前述した特公平４−２４１７７に開示される速結ナットは、構造が複雑で、部品点数も多く、高価であった。また、実開平５−５０１３４に開示される速結ナットは、簡単な構造ではあるものの、ボルトとの締結力が弱かった。
【０００６】
本発明は、かかる事由に鑑みてなしたもので、その目的とするところは、簡単な構造でありながら、ボルトとの締結力が強い速結ナットを提供するにある。
【０００７】
【課題を解決するための手段】
かかる課題を解決するために、請求項１記載の速結ナットは、外形が多角形状をなし中央にボルトを挿通する挿通孔を有したナット基台と、ナット基台の外形に対応するとともに挿通孔に連通しながら、前記ボルトに若干の遊びを持たせて同ボルトが嵌め込まれる連通孔を有した底面部と底面部から多角形状の外形に対応して立設した壁部と壁部から挿通孔の中心に向けて延設するバネ部とを有してなり、このバネ部の端面がボルトのネジの溝に嵌まり得る形状に形成された鎖錠バネと、を具備し、さらに、前記ナット基台は、挿通孔を底部に有する中空状の有底箱体にて構成するとともに、前記ナット基台の挿通孔及び鎖錠バネの連通孔を回転することなしにボルトが挿通可能なものとなしてこの挿通孔と連通孔とを鎖錠バネの内部中空スペース分の間隔をあけて配設し、同鎖錠バネのバネ部をボルトの雄ネジに係合し移動することでナット基台に当たるようこのナット基台の外側に近接配置した構成としている。
【０００８】
また、請求項２記載の速結ナットは、外形が多角形状をなし中央にボルトを挿通する挿通孔を有したナット基台と、ナット基台の外形に対応するとともに挿通孔に連通しながら、前記ボルトに若干の遊びを持たせて同ボルトが嵌め込まれる連通孔を有した底面部と底面部から多角形状の外形に対応して立設した壁部と壁部から挿通孔の中心に向けて延設するバネ部とを有してなり、このバネ部の端面がボルトのネジの溝に嵌まり得る形状に形成された鎖錠バネと、を具備し、さらに、前記ナット基台は、外周に複数の係合爪を設けて、鎖錠バネと結合するとともに、前記ナット基台の挿通孔及び鎖錠バネの連通孔を回転することなしにボルトが挿通可能なものとなしてこの挿通孔と連通孔とを鎖錠バネの内部中空スペース分の間隔をあけて配設し、同鎖錠バネのバネ部をボルトの雄ネジに係合し移動することでナット基台に当たるようこのナット基台の外側に近接配置した構成としている。
【０００９】
また、請求項３記載の速結ナットは、請求項１または請求項２記載の鎖錠バネを、多層構造に形成してなる構成としている。
【００１０】
【作用】
請求項１記載の構成によれば、連通孔からボルトに若干の遊びを持たせて同ボルトが嵌め込まれ、そして、バネ部が外側に変形することで、ボルトをバネ部に抗して回転することなしに簡単に速結ナットに挿入することができ、その際、相互に間隔をあけて配設された挿通孔と連通孔とでボルトは傾かないようにガイドされて、ボルトが鎖錠バネに対して安定して確実に係合されるようになり、同ボルトを少し締結方向に回転することで、バネ部が雄ネジに係合して移動してナット基台に当たり、同ボルトと速結ナットが強く締結される。
【００１１】
しかも、ナット基台は、挿通孔を底部に有する中空状の有底箱体にした構成としていることで、同ナット基台は板金等で簡単に中空状の有底箱体に形成できるとともに、軽くて安価な速結ナットが得られる。
【００１２】
また、請求項２記載の構成によれば、連通孔からボルトに若干の遊びを持たせて同ボルトが嵌め込まれ、そして、バネ部が外側に変形することで、ボルトをバネ部に抗して回転することなしに簡単に速結ナットに挿入することができ、その際、相互に間隔をあけて配設された挿通孔と連通孔とでボルトは傾かないようにガイドされて、ボルトが鎖錠バネに対して安定して確実に係合されるようになり、同ボルトを少し締結方向に回転することで、バネ部が雄ネジに係合して移動してナット基台に当たり、ボルトと速結ナットが強く締結される。そのうえに、ナット基台は板金の打ち抜き等でさらに簡単に形成できる。
【００１３】
また、請求項３記載の構成によれば、請求項１または請求項２記載の作用を奏するうえに、複数のバネ部が雄ネジと係合するので、締結荷重が各バネ部に分割される。
【００１４】
【実施例】
本発明の速結ナットは、外形が多角形状をなし中央にボルトを挿通する挿通孔を有したナット基台と、ナット基台の外形に対応するとともに挿通孔に連通しながら、前記ボルトに若干の遊びを持たせて同ボルトが嵌め込まれる連通孔を有した底面部と底面部から多角形状の外形に対応して立設した壁部と壁部から挿通孔の中心に向けて延設するバネ部とを有してなり、このバネ部の端面がボルトのネジの溝に嵌まり得る形状に形成された鎖錠バネと、を具備し、さらに、前記ナット基台の挿通孔及び鎖錠バネの連通孔を回転することなしにボルトが挿通可能なものとなしてこの挿通孔と連通孔とを鎖錠バネの内部中空スペース分の間隔をあけて配設し、同鎖錠バネのバネ部をボルトの雄ネジに係合し移動することでナット基台に当たるようこのナット基台の外側に近接配置したものであるが、以下、本発明の第１の実施例を本発明の基本的な構成を有している図１乃至図３に示した参考図に基づいてまず説明する。図１は速結ナットＡ  の断面図であり、ナット基台１  と鎖錠バネ４  より構成されている。
【００１５】
ナット基台１  は、金属又は樹脂で形成されたものであって、ボルト２  が挿通可能な円柱状の挿通孔３  を有し、外形は６角形のリング状をなしている。
【００１６】
鎖錠バネ４  は、板金等で形成されたものであって、ナット基台１  の外形に対応して大略６角柱状をなしており、ナット基台１  の挿通孔３  に連通する連通孔４ｂを有する底面部４ａと、底面部４ａからナット基台１  の外形に対応して立設した壁部４ｃと、壁部４ｃから挿通孔３  の中心に向けて延設するバネ部５  とを有している。バネ部５  は、やや下向きに折り曲げられて弾性変形可能な６枚の片より構成されており、その先端部５ａは、ボルト２  の雄ネジと係合する円弧状をなしている。鎖錠バネ４  の展開図は、図３に示すような桜の花びらのような形状をしており、ナット基台１  を内部に収納して折り曲げることにより形成される。
【００１７】
以上のような場合における動作について次に説明する。ボルト２  への速結ナットＡ  の挿入は、鎖錠バネ４  の底面部４ａ側より行う。バネ部５  の先端部５ａをボルト２  の雄ネジ上を摺動させながら弾性的に外側に押し広げることで、速結ナットＡは、回転することなしに簡単に挿入できる。そして、速結ナットＡ  が挿入限度まで達した段階で、速結ナットＡ  を締結方向に２〜３回回転することで、バネ部５の先端部５ａはボルト２  の雄ネジの谷部に強く食い込み、完全に締結される。
【００１８】
ところで、バネ部５  はナット基台１  があるために、内側に折れ曲がることはなく、適度な強さで速結ナットを締結することができる。また、多少ネジ径が異なっても同一の速結ナットを用いることができる。
【００１９】
なお、速結ナットの形状は、大略６角柱状に限定されるものではなく、モンキー等で回転可能なように多角形状であればよい。また、締結動作は、速結ナットを動かす方法で説明したが、ボルトを動かしてもよい。
【００２０】
次に、本発明の基本的な構成を有している鎖錠バネを複数個用いたものについて図４に示す参考図に基づいて説明する。
【００２１】
１  はナット基台であり、ボルト２  が挿通可能な挿通孔３  を中心部に有し、外形は６角形のリング状をなしている。
【００２２】
６，７，８  は鎖錠バネであり、その他は各々図１ないし図３に示す参考図とほぼ同じ構造である。一方、外形寸法が少しずつ異なっており、鎖錠バネ６  の中に鎖錠バネ７  が、鎖錠バネ７  の中に鎖錠バネ８  が入るように多層構造に構成されている。従って、各々のバネ部６ａ，７ａ，８ａがボルト２  の雄ネジと位置をずらして係合する。
【００２３】
このような場合では、締結荷重を複数のバネ部６ａ，７ａ，８ａで受けることが可能となるため、締結荷重が分散され、重荷重なものに対しても締結が可能となっているものである。
【００２４】
次に、本発明の第１の実施例の要部を図５及び図６に基づいて説明する。すなわち、ナット基台が、挿通孔を底部に有する中空状の有底箱体にて構成していることを詳しく説明する。
【００２５】
９  はナット基台であり、ボルト２  が挿通可能な挿通孔１０を有する底部を持つ中空となした有底筒状の略６角柱で構成されている。ナット基台９  の材質としては、金属や樹脂等で形成される。このように、中空となした有底筒状により、確実な軽量化が図られているものである。
【００２６】
４  は鎖錠バネであり、ナット基台９を内部に挿入して、板金で形成された鎖錠バネ４  を折り曲げることにより、速結ナットは形成される。このように形成して、連通孔からボルト２に若干の遊びを持たせて同ボルト２が嵌め込まれるようにさせられるものである。
【００２７】
本発明は、このような構成にすることにより、連通孔からボルトに若干の遊びを持たせて同ボルトが嵌め込まれ、そして、バネ部が外側に変形することで、ボルトをバネ部に抗して回転することなしに簡単に速結ナットに挿入することができ、その際、相互に間隔をあけて配設された挿通孔と連通孔とでボルトは傾かないようにガイドされて、ボルトが鎖錠バネに対して安定して確実に係合されるようになり、同ボルトを少し締結方向に回転することで、バネ部が雄ネジに係合して移動してナット基台に当たり、同ボルトと速結ナットが強く締結され、結果として、簡単な動作で締結することが可能となる。また、軽い速結ナットとなるので、この速結ナットを用いた装置自体の重量低減が図れる。
【００２８】
次に、本発明の第２の実施例を図７及び図８の図面に基づいて説明する。この実施例においては、ナット基台の構造を第１の実施例とは変えたものである。すなわち、この速結ナットにおいては、外形が多角形状をなし中央にボルトを挿通する挿通孔を有したナット基台と、ナット基台の外形に対応するとともに挿通孔に連通しながら、前記ボルトに若干の遊びを持たせて同ボルトが嵌め込まれる連通孔を有した底面部と底面部から多角形状の外形に対応して立設した壁部と壁部から挿通孔の中心に向けて延設するバネ部とを有してなり、このバネ部の端面がボルトのネジの溝に嵌まり得る形状に形成された鎖錠バネと、を具備し、さらに、前記ナット基台は、外周に複数の係合爪を設けて、鎖錠バネと結合するとともに、前記ナット基台の挿通孔及び鎖錠バネの連通孔を回転することなしにボルトが挿通可能なものとなしてこの挿通孔と連通孔とを鎖錠バネの内部中空スペース分の間隔をあけて配設し、同鎖錠バネのバネ部をボルトの雄ネジに係合し移動することでナット基台に当たるようこのナット基台の外側に近接配置しているものである。
【００２９】
１１はナット基台であり、板金の打ち抜き等で形成されるものであって、ボルト２  が挿通可能な挿通孔１２を有した６角形の平板の外周部に外側に向かって延びる係合爪１３が設けられている。
【００３０】
１４は鎖錠バネであり、板金で形成されたものであって、底面部１４ａ  にボルト２が挿通可能な連通孔１４ｂ  を有し、壁部１４ｃ  から挿通孔１２の中心に向かってやや下向きに折り曲げられた６枚のバネ部１５を有する中空の略６角柱状をなしている。壁部１４ｃ  の下部には、前記係合爪１３が挿入可能な固定穴１６が開いている。ナット基台１１は、その係合爪１３を固定穴１６に挿入して、折り曲げ又は溶接等により鎖錠バネ１４と一体化する。
【００３１】
このような構成にすることにより、第１の実施例と同様な動作をすることができるものである。すなわち、連通孔からボルトに若干の遊びを持たせて同ボルトが嵌め込まれ、そして、バネ部が外側に変形することで、ボルトをバネ部に抗して回転することなしに簡単に速結ナットに挿入することができ、その際、相互に間隔をあけて配設された挿通孔と連通孔とでボルトは傾かないようにガイドされて、ボルトが鎖錠バネに対して安定して確実に係合されるようになり、同ボルトを少し締結方向に回転することで、バネ部が雄ネジに係合して移動してナット基台に当たり、同ボルトと速結ナットが強く締結され、結果として、簡単な動作で締結することが可能となる。また、軽い速結ナットとなるので、この速結ナットを用いた装置自体の重量低減が図れ、そのうえに、ナット基台は板金の打ち抜き等でさらに簡単に形成できる。
【００３２】
【発明の効果】
請求項１記載の速結ナットは、連通孔からボルトに若干の遊びを持たせて同ボルトが嵌め込まれ、そして、バネ部が外側に変形することで、ボルトをバネ部に抗して回転することなしに簡単に速結ナットに挿入することができ、その際、相互に間隔をあけて配設された挿通孔と連通孔とでボルトは傾かないようにガイドされて、ボルトが鎖錠バネに対して安定して確実に係合されるようになり、同ボルトを少し締結方向に回転することで、バネ部が雄ネジに係合して移動してナット基台に当たり、ボルトと速結ナットが強く締結されるので、簡単な構造でボルトが挿入しやすく、且つ十分な締結力が得られる。
【００３３】
しかも、ナット基台は、挿通孔を底部に有する中空状の有底箱体にした構成としていることで、ナット基台は板金等で簡単に中空状の有底箱体に形成できるので、軽くて安価な速結ナットが得られる。
【００３４】
請求項２記載の速結ナットは、連通孔からボルトに若干の遊びを持たせて同ボルトが嵌め込まれ、そして、バネ部が外側に変形することで、ボルトをバネ部に抗して回転することなしに簡単に速結ナットに挿入することができ、その際、相互に間隔をあけて配設された挿通孔と連通孔とでボルトは傾かないようにガイドされて、ボルトが鎖錠バネに対して安定して確実に係合されるようになり、同ボルトを少し締結方向に回転することで、バネ部が雄ネジに係合して移動してナット基台に当たり、ボルトと速結ナットが強く締結されるので、簡単な構造でボルトが挿入しやすく、且つ十分な締結力が得られる。その上、ナット基台は板金の打ち抜き等でさらに簡単に形成できるので、速結ナットとしては中空状に形成されているのはもちろんのこと、さらに軽くて安価な速結ナットが得られる。
【００３５】
請求項３記載の速結ナットは、請求項１または請求項２記載の効果を奏するうえに、複数のバネ部が雄ネジと係合するので、締結荷重が各バネ部に分割され、重荷重に対しても締結が可能となる。
【図面の簡単な説明】
【図１】本発明の第１の実施例を説明するための参考図であり、速結ナットの断面図である。
【図２】その速結ナットの上面図である。
【図３】その鎖錠バネの展開図である。
【図４】本発明の第１の実施例を説明するための参考図であり、図１とは別の速結ナットの断面図である。
【図５】本発明の第１の実施例を示す速結ナットの分解斜視図である。
【図６】その速結ナットの断面図である。
【図７】本発明の第２の実施例を示す速結ナットの分解斜視図である。
【図８】その速結ナットの断面図である。
【図９】第１従来例を示す速結ナットの分解斜視図である。
【図１０】第２従来例を示す速結ナットの断面図である。
【符号の説明】
Ａ                        速結ナット
１，９，１１ ナット基台
２                        ボルト
３，１０，１２ 挿通孔
４，６，７，８，１４      鎖錠バネ
４ａ，１４ａ 底面部
４ｂ，１４ｂ 連通孔
４ｃ，１４ｃ 壁部
５，１５                  バネ部
１３                      係合爪
１６                      固定穴
【図１】
0003628034.tif 000002
【図２】
0003628034.tif 000003
【図３】
0003628034.tif 000004
【図４】
0003628034.tif 000005
【図５】
0003628034.tif 000006
【図６】
0003628034.tif 000007
【図７】
0003628034.tif 000008
【図８】
0003628034.tif 000009
【図９】
0003628034.tif 000010
【図１０】
0003628034.tif 000011